(57)【特許請求の範囲】
【請求項１】
水供給部に連設する噴水本体に回転体を水平方向に回転自在に設け、この回転体に該回転体の上方に水を噴出する噴出部を設けて、この噴出部から噴出した水の噴出力により前記回転体を回転させて、この回転する噴出部から噴出した水により所定の噴水デザインを造形するように構成した噴水装置であって、前記噴出部から水を噴出する噴出力により生じる回転力と反対方向の回転力を生じさせる向きにして前記回転体の下方に水を噴出する速度調整用噴出部を前記回転体に設け、前記速度調整用噴出部は、周壁に噴出孔を設けた直線状管体を前記回転体に該回転体の回転中心から放射方向へ突出状態に設けた構成であり、噴出する水の噴出角度を調整することで前記回転体の回転速度を調整し得るように構成されていることを特徴とする噴水装置。
【請求項２】
前記速度調整用噴出部を、前記回転体に軸回動自在に設けて当該噴出孔の噴出角度を調整自在に設けたことを特徴とする請求項１記載の噴水装置。
【請求項３】
前記速度調整用噴出部を、前記直線状管体の突出先端部が下方に位置するように前記回転体に下り傾斜状態に設けたことを特徴とする請求項１，２のいずれか１項に記載の噴水装置。
【請求項４】
前記直線状管体の周壁に前記噴出孔を複数設けたことを特徴とする請求項１〜３のいずれか１項に記載の噴水装置。
【請求項５】
前記噴出部の噴出角度を調整自在に設けたことを特徴とする請求項１〜４のいずれか１項に記載の噴水装置。
【請求項６】
前記噴出部は、直線部とこの直線部に屈曲部を介して立ち上がり連設する立ち上がり部とを有する屈曲状管体の先端開口部を噴出孔に設定した構成であり、前記回転体に前記直線部を軸回動自在に設けて当該噴出孔の噴出角度を調整自在に設けたことを特徴とする請求項１〜５のいずれか１項に記載の噴水装置。
【請求項７】
前記回転体内に加圧状態で供給され前記噴出部及び前記速度調整用噴出部で噴出されない余剰水を排水する排水部を有することを特徴とする請求項１〜６のいずれか１項に記載の噴水装置。
【請求項８】
前記噴出部及び前記速度調整用噴出部は、前記回転体に水を供給する同一の水供給部の水を分岐して噴出するように構成されていることを特徴とする請求項１〜７のいずれか１項に記載の噴水装置。
【発明の詳細な説明】
【技術分野】
【０００１】
本発明は、噴水装置に関するものである。
【背景技術】
【０００２】
従来から、例えば特開平５−６８９２１号に提案されるような噴水装置（以下、従来例）が提案されている。
【０００３】
この従来例は、駆動手段と、この駆動手段によって回転させられる噴水用通路を設けた回転軸と、噴水用通路に高圧水を供給する高圧水供給手段と、噴水用通路に連通して回転軸に同時回転可能に取り付けられた噴水ノズルと、駆動手段に運転制御信号を出力する制御器とを具備した構造である。
【０００４】
従って、高圧水供給手段から回転軸の噴水用通路に高圧水を供給して噴水ノズルから噴水させるとともに、制御器から駆動手段に運転制御信号を出力して、回転軸を回転させることによって、噴水ノズルから噴出する水により噴水デザインを造形することができる。
【先行技術文献】
【特許文献】
【０００５】
【特許文献１】特開平５−６８９２１号公報
【発明の概要】
【発明が解決しようとする課題】
【０００６】
ところで、従来例は、前述したように噴水ノズルを設けた回転軸の回転は駆動手段（モーター）の作動により行われ、この回転軸の回転速度の制御は制御器で行われる構造であり、よって、構造が複雑でコスト高であり且つランニングコストも高く、しかも、水を扱う構造だけに駆動手段や制御器などの電子機器部分が故障し易く、それだけメンテナンスも厄介である。また、従来例は前述した構造上、十分な電力量が必要であり設置箇所も限定されてしまうという問題点がある。
【０００７】
本発明は、前述した回転しながら水を噴出して噴水デザインを造形するタイプの噴水装置に着目し、種々の実験・研究を繰り返し行い、その結果、従来にない作用効果を発揮する画期的な噴水装置を開発した。
【課題を解決するための手段】
【０００８】
添付図面を参照して本発明の要旨を説明する。
【０００９】
水供給部５に連設する噴水本体４に回転体１を水平方向に回転自在に設け、この回転体１に該回転体１の上方に水を噴出する噴出部２を設けて、この噴出部２から噴出した水Ｗの噴出力により前記回転体１を回転させて、この回転する噴出部２から噴出した水Ｗにより所定の噴水デザインＤを造形するように構成した噴水装置であって、前記噴出部２から水Ｗを噴出する噴出力により生じる回転力と反対方向の回転力を生じさせる向きにして前記回転体１の下方に水Ｗを噴出する速度調整用噴出部３を前記回転体１に設け、前記速度調整用噴出部３は、周壁に噴出孔３ａを設けた直線状管体３を前記回転体１に該回転体１の回転中心から放射方向へ突出状態に設けた構成であり、噴出する水Ｗの噴出角度を調整することで前記回転体１の回転速度を調整し得るように構成されていることを特徴とする噴水装置に係るものである。
【００１０】
また、前記速度調整用噴出部３を、前記回転体１に軸回動自在に設けて当該噴出孔３ａの噴出角度を調整自在に設けたことを特徴とする請求項１記載の噴水装置に係るものである。
【００１１】
また、前記速度調整用噴出部３を、前記直線状管体３の突出先端部が下方に位置するように前記回転体１に下り傾斜状態に設けたことを特徴とする請求項１，２のいずれか１項に記載の噴水装置に係るものである。
【００１２】
また、前記直線状管体３の周壁に前記噴出孔３ａを複数設けたことを特徴とする請求項１〜３のいずれか１項に記載の噴水装置に係るものである。
【００１３】
また、前記噴出部２の噴出角度を調整自在に設けたことを特徴とする請求項１〜４のいずれか１項に記載の噴水装置に係るものである。
【００１４】
また、前記噴出部２は、直線部２Ａとこの直線部２Ａに屈曲部２Ｃを介して立ち上がり連設する立ち上がり部２Ｂとを有する屈曲状管体２の先端開口部を噴出孔２ａに設定した構成であり、前記回転体１に前記直線部２Ａを軸回動自在に設けて当該噴出孔２ａの噴出角度を調整自在に設けたことを特徴とする請求項１〜５のいずれか１項に記載の噴水装置に係るものである。
【００１５】
また、前記回転体１内に加圧状態で供給され前記噴出部２及び前記速度調整用噴出部３で噴出されない余剰水を排水する排水部６を有することを特徴とする請求項１〜６のいずれか１項に記載の噴水装置に係るものである。
【００１６】
また、前記噴出部２及び前記速度調整用噴出部３は、前記回転体１に水Ｗを供給する同一の水供給部５の水Ｗを分岐して噴出するように構成されていることを特徴とする請求項１〜７のいずれか１項に記載の噴水装置に係るものである。
【発明の効果】
【００１７】
本発明は上述のように構成したから、所定の噴水デザインを簡易且つ確実に造形することができ、しかも、前述したような駆動手段や制御器などの複雑な構造（大掛かりな電子機器）が不要でコスト安であり且つランニングコストも安く、そして更に、故障し難くメンテナンス性も良好であるなど、従来にない作用効果を発揮する画期的な噴水装置となる。
【００１８】
また、本発明は、速度調整が良好に行え、確実に所望の噴水デザインを造形することができ、しかも、例えば噴出角度によっては減速に限らず加速させることも可能になるなど、従来にない作用効果を発揮する画期的な噴水装置となる。
【００１９】
また、本発明は、各噴出部の機能を明確に分けて所望の噴出デザインを造形することができるなど、従来にない作用効果を発揮する画期的な噴水装置となる。
【００２０】
また、請求項２〜４記載の発明においては、より一層良好な速度調整が行えることになるなど、従来にない作用効果を発揮する画期的な噴水装置となる。
【００２１】
また、請求項５記載の発明においては、所望する種々の噴水デザインを簡易且つ確実に造形することができるなど、従来にない作用効果を発揮する画期的な噴水装置となる。
【００２２】
また、請求項６，７記載の発明においては、より一層良好な噴水デザインを造形することができるなど、従来にない作用効果を発揮する画期的な噴水装置となる。
【００２３】
また、請求項８記載の発明においては、極めて効率の良い構造であるなど、従来にない作用効果を発揮する画期的な噴水装置となる。
【図面の簡単な説明】
【００２４】
【図１】本実施例の使用状態説明図である。
【図２】本実施例を示す分解斜視図である。
【図３】本実施例に係る要部を示す断面図である。
【図４】本実施例に係る要部の動作説明図である。
【図５】本実施例に係る要部の動作説明図である。
【図６】本実施例の動作説明図である。
【発明を実施するための形態】
【００２５】
好適と考える本発明の実施形態（発明をどのように実施するか）を、図面に基づいて本発明の作用を示して簡単に説明する。
【００２６】
噴出部２から水Ｗを噴出することでこの水Ｗの噴出力により回転体１は回転し、一方、速度調整用噴出部３から水Ｗを噴出することでこの水Ｗの噴出力により回転体１の回転速度は抑制されて、回転体１は最適な速度で回転する。この際、例えば回転する回転体１に設けた噴出部２から噴出した水Ｗにより所定の噴水デザインＤが造形される。
【００２７】
この噴水デザインＤは、例えば低速で回転させることで、ゆったりした癒し効果の高い造形とすることができる。
【００２８】
従って、回転体１を回転させること、及び、この回転体１の回転速度を抑制することが、水の噴出力のみで達成される構造であり、よって、前述した従来例のような駆動源や制御器などの複雑な構造（大掛かりな電子機器）は不要であるからコスト安であり、しかも、これら水Ｗで故障し易い電子機器も不要であるから故障し難くメンテナンス性も良好である。また、本発明は、水源が有れば何処でも使用可能であり、設置箇所の制限も受けにくい構造である。
【００２９】
また、本発明は、速度調整用噴出部３の噴出角度を適宜調整することで、例えば噴出部２とマッチングさせた際に製造上生じる誤差や設置箇所によって異なる水圧の違いなど、条件に応じた調整が可能になる。
【００３０】
また、請求項５記載の発明は、所望する種々の噴水デザインＤを簡易且つ確実に造形することができる。
【００３１】
即ち、本発明のように水Ｗの噴出力で回転体１を回転させ且つこの回転する回転体１から噴出する水Ｗで噴水デザインＤを造形する場合、所望の噴水デザインＤを造形する上で条件となる水Ｗの噴出軌跡（形状）は水Ｗの噴出角度によって決定するが、その構造上、この水Ｗの噴出角度夫々に応じて回転体１の回転速度が速くなったり遅くなったり異なる為、この回転速度が適切でないと所望の噴水デザインＤが造形されなくなる場合がある。
【００３２】
つまり、例えば回転体１の回転速度を上げずに（或いは下げずに）所望の噴水デザインＤを造形したい場合があり、これに対応する必要がある。
【００３３】
この点、噴出部２及び速度調整用噴出部３は噴出角度が調整自在であるから、前述したような要求に簡易且つ確実に対応することができ、具体的には、例えば噴出部２から噴出する水Ｗで、この水Ｗの噴出軌跡（形状）及び回転体１の回転速度の条件が揃って形成される所望の噴水デザインＤを造形する場合、この噴出部２の噴出角度を調整して水Ｗの噴出軌跡（形状）を決定し、且つ、速度調整用噴出部３の噴出角度を調整して回転体１の回転速度を決定することで、所望の噴水デザインＤが確実に造形されることになる。その他、例えば設置する場所の広さに応じて得たい噴水デザインＤをそのまま大きくしたい、その反対に、小さくしたい場合、或いは、噴水デザインＤそのものを変形させたい場合など様々な要求が出た場合であっても、噴出部２及び速度調整用噴出部３夫々の噴出角度を調整することで簡易且つ確実に対応することができる。
【実施例】
【００３４】
本発明の具体的な一実施例について図面に基づいて説明する。
【００３５】
本実施例は、水供給部５に連設する噴水本体４に回転体１を回転自在に設け、この回転体１に水を噴出する噴出部２を設けて、この噴出部２から噴出した水Ｗの噴出力により前記回転体１を回転させて、この回転する噴出部２から噴出した水Ｗにより所定の噴水デザインＤを造形するように構成した噴水装置であって、噴出部２から水Ｗを噴出する噴出力により生じる回転力と反対方向の回転力を生じさせる向きに水Ｗを噴出する速度調整用噴出部３を前記回転体１若しくは前記噴出部２に設けたものである。
【００３６】
具体的には、本実施例は、加圧水を供給する水供給部５に着脱自在に連設する噴水本体４の先端部（上端部）に回転体１が回転自在に設けられている。
【００３７】
この本実施例に係る噴水装置を設置する設置箇所（後述する水中ポンプ装置５ｂで送水する水Ｗを溜めた池構造体）及び水供給部５は既存の公知構造であり、本実施例は何処でも適用可能である。
【００３８】
尚、水供給部５は、図３に図示したように給水管５ａの基端部に水Ｗを圧送する水中ポンプ装置５ｂが設けられた構造であり、この給水管５ｂは、本実施例を設置する設置箇所に設けられ上部に噴水本体４を載置配設するための筒状の設置部７内に配されている。符号５ｃは水量調整用（噴出される水Ｗで造形される噴水デザインＤの高さ調整用）のバルブである。
【００３９】
噴水本体４は、図２，３に図示したように適宜な金属製の部材で形成された筒状体であり、この噴水本体４内の下方部位には給水管５ｂに接続する通水管８が設けられている。
【００４０】
この通水管８は、図３に図示したように適宜な金属製の部材で形成されたものであり、この通水管８の下端部は、給水管５ｂの先端部と、この双方の端部に被嵌する被嵌連結部材10を介して連結されており、給水管５ｂから供給される水Ｗは通水管８を通過して回転体１内に供給される。
【００４１】
また、この通水管８の上端部には、後述する回転体１の軸部１Ｂが回転自在に被嵌され、この通水管８の外周面と軸部１Ｂの内周面との間には環状のパッキン11が設けられている。
【００４２】
また、噴水本体４の上方部位には回転体１（軸部１Ｂ）を軸受する軸受部９が設けられている。
【００４３】
軸受部９は、図３に図示したように回転体１の軸部１Ｂを配設し得る空間の上下位置にして軸部１Ｂの外周部との間にボールベアリング部13を設けて構成されている。このボール13ａはセラミックボールである。
【００４４】
また、本実施例では、噴水本体４の下端部に筒状の底部材12が設けられ、この底部材12の下部には、設置部７の上部開口部に嵌合連結する凸状の連結部12ａが設けられており、この連結部12ａは、被嵌連結部材10に被嵌連結するように構成されている。
【００４５】
また、噴水本体４の下部には排水部６が設けられている。
【００４６】
この排水部６は、図３に図示したように側断面視Ｌ字状の管部材を噴水本体４及び底部材12に貫通状態に設けて構成されている。
【００４７】
従って、回転体１内に加圧状態で供給され噴出部２及び速度調整用噴出部３で噴出されない余剰水、即ち、軸部１Ｂと通水管８との間から漏れた水Ｗが排水される。
【００４８】
これにより不要な余剰水は排水され、後述する噴出部２及び速度調整用噴出部３へ供給される水Ｗに過剰な圧がかからず安定し、噴出部２及び速度調整用噴出部３から脈動を打った水Ｗの噴出を可及的に防止し得ることになる。
【００４９】
回転体１は、噴水本体４の先端部（上端部）に水平方向に回転自在（自転自在）に設けられている。
【００５０】
具体的には、回転体１は、適宜な金属製の部材で形成した中空体であり、噴水本体４の軸受部９に挿入配設される軸部１Ｂと、この軸部１Ｂの上端部に設けられるノズル連結部１Ａとで構成されている。
【００５１】
軸部１Ｂは、図３に図示したように筒状体であり、軸受部９内を構成するボールベアリング部13を介して回動自在に軸受される。
【００５２】
ノズル連結部１Ａは、図２，３に図示したように天壁１ａを有する筒状体であり、側部（側周面）には複数（計６本）の噴出部２及び速度調整用噴出部３を貫挿する貫通孔１ｂが等間隔の位置に形成されている。
【００５３】
この貫通孔１ｂは螺子孔であり、この貫通孔１ｂのうち噴出部２を螺合連結する貫通孔１ｂは水平方向に向けて形成され、速度調整用噴出部３を螺合連結する貫通孔１ｂは下り傾斜方向に向けて形成されている。
【００５４】
また、ノズル連結部１Ａは、内部にして天壁１ａの内面に円錐形の分岐部材14が設けられており、この分岐部材14は、回転体１内に供給される水Ｗを側方（回動中心の外側方向）へ誘導して噴出部２及び速度調整用噴出部３の双方へ均等に水Ｗを分岐させるものである。
【００５５】
従って、本実施例は、噴出部２及び速度調整用噴出部３は、回転体１に連設する同一の水供給部５の水Ｗを分岐して噴出することになる。
【００５６】
また、本実施例は、回転体１として水平方向に自転自在となる回転体１を採用し、回転体１の上方にして該回転体１を回転させる向きに水Ｗを噴出するように噴出部２を回転体１に設けるとともに、回転体１の下方にして噴出部２から水Ｗを噴出する噴出力により生じる回転力と反対方向の回転力を生じさせる向きに水Ｗを噴出するように速度調整用噴出部３を回転体１若しくは噴出部２に設けている。
【００５７】
具体的には、噴出部２は、図２，３に図示したように適宜な金属製の部材で形成したものであり、直線部２Ａとこの直線部２Ａに屈曲部２Ｃを介して立ち上がり連設する立ち上がり部２Ｂとを有する屈曲状のノズル管体２の先端開口部を噴出孔２ａに設定した構成である。
【００５８】
また、噴出部２（直線部２Ａ）の基端部には、回転体１の貫通孔１ｂに螺合連結する螺子部２ｂが形成されており、よって、噴出部２は回転体１の側部（側周面部）に該回転体１の回転中心から放射方向へ突出状態に配され、直線部２Ａが水平状態となるように回転体１に軸回動自在に連結される。
【００５９】
従って、噴出部２（噴出孔２ａ）から噴出する水Ｗの噴出角度は調整自在となり（図４参照）、よって、噴出部２は、回転体１の上方にして該回転体１を回転させる向きに水Ｗを噴出することになり（図６参照）、この噴出角度の調整により水Ｗの噴出軌跡（形状）及び回転体１の回転速度が可変自在となる。
【００６０】
尚、本実施例では、噴出部２を回転体１に突設される棒状のノズル構造としたが、回転体１に噴出孔や散水孔や出水孔を直接設けた構造でも良く、水Ｗの噴出力も水圧だけに頼らず、例えば噴出孔２ａに絞り調整機能を設けて噴出力を可変し得る構成としても良く、また、噴出部２の数は適宜変更し得るものである。
【００６１】
速度調整用噴出部３は、図２，３に図示したように適宜な金属製の部材で形成したものであり、直線状のノズル管体３の周壁に噴出孔３ａを複数設けた構成である。
【００６２】
また、ノズル管体３の基端部には、回転体１の貫通孔１ｂに螺合連結する螺子部３ｂが形成されており、回転体１の側部に該回転体１の回転中心から放射方向へ突出状態に配され、ノズル管体３は突出先端部が下方に位置するように回転体１に下り傾斜状に軸回動自在に連結される。
【００６３】
従って、速度調整用噴出部３（噴出孔３ａ）から噴出される水Ｗの噴出角度は調整自在となり（図５参照）、よって、速度調整用噴出部３は、回転体１の下方にして噴出部２から水Ｗを噴出する噴出力により生じる回転力と反対方向の回転力を生じさせる向きに水Ｗを噴出することになり（図６参照）、この噴出角度の調整により回転体１の回転速度を調整自在となる。また、速度調整用噴出部３の噴出角度の調整により回転体１の回転速度を高くする調整も可能である。
【００６４】
この直線状のノズル管体３から成る速度調整用噴出部３は、回転体１の側部に放射方向に突出状態に設けられることで、モーメントの関係から効率良く良好な回転力（速度調整回転力）が得られることになり、しかも、長尺構造のため、握り易く噴出角度の調整が簡易に行える。
【００６５】
尚、本実施例では、速度調整用噴出部３を回転体１に突設される棒状のノズル構造としたが、回転体１に噴出孔や散水孔や出水孔を直接設けた構造でも良く、水Ｗの噴出力も水圧だけに頼らず、例えば噴出孔３ａに絞り調整機能を設けて噴出力を可変し得る構成としても良く、また、噴出部２のノズル管体２に噴出孔３ａを設けてこれを速度調整用噴出部３としても良く、また、速度調整用噴出部３の数は適宜変更し得るものである。
【００６６】
本実施例は上述のように構成したから、噴出部２から水Ｗを噴出することでこの水Ｗの噴出力により回転体１は回転し、一方、速度調整用噴出部３から水Ｗを噴出することでこの水Ｗの噴出力により回転体１の回転速度は抑制されて、回転体１は最適な速度で回転する。この際、例えば回転する回転体１に設けた噴出部２から噴出した水Ｗにより螺旋のような噴水デザインＤが造形される（図１参照）。この噴水デザインＤにより見た目の造形を楽しめるのは勿論、水Ｗの音も楽しむことができ、マイナスイオン効果や虫よけ効果も期待できる。
【００６７】
よって、本実施例によれば、回転体１を回転させること、及び、この回転体１の回転速度を抑制することが、水の噴出力のみで達成される構造であり、よって、前述した従来例のような駆動源や制御器などの複雑な構造（大掛かりな電子機器）は不要であるからコスト安であり、しかも、これら水Ｗで故障し易い電子機器も不要であるから故障し難くメンテナンス性も良好である。また、本実施例は、水源が有れば何処でも使用可能であり、設置箇所の制限も受けにくい構造である。
【００６８】
また、本実施例は、回転体１の速度調整が前述したように駆動源によるものでなく秀れた作用効果を発揮するものであるが、その他にも例えば摩擦部材を介しての速度調整に比し秀れた作用効果を発揮する。
【００６９】
即ち、摩擦部材を介して速度調整する場合、この摩擦部材における摩擦係数の設定や素材の選択など非常に調整が厄介であり、しかも、使用を重ねることで摩耗して調整した速度でなくなってしまうなどの問題点があるが、この点、本実施例であればこのような問題点は生じない。
【００７０】
また、本実施例は、速度調整用噴出部３の噴出角度を調整自在に設けたから、速度調整用噴出部３の噴出角度を適宜調整することで、例えば噴出部２とマッチングさせた際に製造上生じる誤差や設置箇所によって異なる水圧の違いなど、条件に応じた調整が可能になる。
【００７１】
また、本実施例は、噴出部２及び速度調整用噴出部３の噴出角度を調整自在に設けたから、この噴出部２の噴出角度を調整して水Ｗの噴出軌跡（形状）を決定し、且つ、速度調整用噴出部３の噴出角度を調整して回転体１の回転速度を決定することで、所望する種々の噴水デザインＤを簡易且つ確実に造形することができる。
【００７２】
また、本実施例は、回転体１として水平方向に自転自在となる回転体１を採用し、回転体１の上方にして該回転体１を回転させる向きに水Ｗを噴出するように噴出部２を回転体１に設けるとともに、回転体１の下方にして噴出部２から水Ｗを噴出する噴出力により生じる回転力と反対方向の回転力を生じさせる向きに水Ｗを噴出するように速度調整用噴出部３を回転体１（若しくは噴出部２）に設けたから、各噴出部２，３の機能を明確に分けて所望の噴出デザインＤを造形することができる。
【００７３】
具体的には、噴出部２から噴出する水Ｗにより噴水装置の上方には所望の噴水デザインＤが造形され、一方、速度調整用噴出部３から噴出する水Ｗを目立たない回転体１の下方に噴出することで、噴出部２から噴出する水Ｗにより造形される噴水デザインＤの邪魔にならないようにすることができる。尚、速度調整用噴出部３から噴出する水Ｗによっても積極的に噴水デザインＤを造形するようにしても良い。
【００７４】
また、本実施例は、速度調整用噴出部３は、直線状管体３の周壁に噴出孔３ａを設けた構成であり、回転体１の側部に該回転体１の回転中心から放射方向へ突出状態に設けたから、回転体１を回転させるモーメントが得られ確実に良好な速度抑制効果が得られる。
【００７５】
また、本実施例は、速度調整用噴出部３を、回転体１に軸回動自在に設けて当該噴出孔３ａの噴出角度を調整自在に設けたから、回転体１の回転速度の抑制に関して微妙な調整が良好に行えることになる。
【００７６】
また、本実施例は、速度調整用噴出部３を、突出先端部が下方に位置するように前記回転体１に下り傾斜状に設けたから、この点においても速度調整用噴出部３から噴出する水Ｗを目立たない状態にすることができる。
【００７７】
また、本実施例は、噴出部２は、直線部２Ａとこの直線部２Ａに屈曲部２Ｃを介して立ち上がり連設する立ち上がり部２Ｂとを有する屈曲状管体２の先端開口部を噴出孔２ａに設定した構成であり、回転体１に直線部２Ａを軸回動自在に設けて当該噴出孔２ａの噴出角度を調整自在に設けたから、例えば噴出部２を構成するノズル管体２の全体が湾曲する場合に比し、直線部２Ａを有することで該直線部２Ａで水Ｗが加速してノズル内のゴミや汚れの詰まりを可及的に防止し得ることになる。これは実験により確認済みである。
【００７８】
また、本実施例は、回転体１内に加圧状態で供給され噴出部２及び速度調整用噴出部３で噴出されない余剰水を排水する排水部６を有するから、これにより不要な余剰水は排水され、後述する噴出部２及び速度調整用噴出部３へ供給される水Ｗに過剰な圧がかからず安定し、噴出部２及び速度調整用噴出部３から脈動を打った水Ｗの噴出を可及的に防止し得ることになる。
【００７９】
また、本実施例は、噴出部２及び速度調整用噴出部３は、回転体１に水Ｗを供給する同一の水供給部５の水Ｗを分岐して噴出するように構成されているから、極めて効率の良い構造となる。
【００８０】
尚、本発明は、本実施例に限られるものではなく、各構成要件の具体的構成は適宜設計し得るものである。
【符号の説明】
【００８１】
Ｗ  水
Ｄ  噴水デザイン
１  回転体
２  噴出部
２Ａ  直線部
２Ｂ  立ち上がり部
２Ｃ  屈曲部
２ａ  噴出孔
３  速度調整用噴出部・直線状管体
３ａ  噴出孔
４  噴水本体
５  水供給部
６  排水部
【図１】
0005345608.tif 000002
【図２】
0005345608.tif 000003
【図３】
0005345608.tif 000004
【図４】
0005345608.tif 000005
【図５】
0005345608.tif 000006
【図６】
0005345608.tif 000007